(57)【要約】【課題】顔面のうちの正しい箇所を適正な力量で押圧する顔面刺激具を提供する。【解決手段】顔面刺激具１は、接合部２と、接合部２の両端から延伸された２の延伸部３（３ａ，３ｂ）と、２の延伸部の各々の接合部の端から等しい距離の箇所に設けられた２の押圧部４（４ａ，４ｂ）とを備える。２の延伸部３は略平行である。接合部２は、２の延伸部３が移動して２の押圧部４の間隔を調整する弾性を有する。押圧部４をアタッチメントとする、押圧部４に微弱電流を供給する等により、機能を高めることができる。【選択図】図１
2015213740.tif 000002
【特許請求の範囲】
【請求項１】
接合部と、
前記接合部の両端から延伸された２の延伸部と、
前記２の延伸部の各々に設けられた２の押圧部とを備え、
前記２の延伸部は互いに略平行な円筒形状のものであり、
前記押圧部は、前記延伸部の軸方向に５０ｍｍ以上の長さを有し、前記延伸部の円筒形状に対して膨らんだ突起を構成し、
前記突起は、前記延伸部の半径に対して最大で１０ｍｍ以下の膨らみであり、前記押圧部の前記延伸部の軸方向の一端から他端に向けて前記膨らみが増大して最大となりその後減少するものであることを特徴とする、顔面刺激具。  
【請求項２】
前記押圧部は前記延伸部の軸を中心に回転可能であることを特徴とする、請求項１に記載の顔面刺激具。
【請求項３】
前記押圧部が前記延伸部に着脱可能なアタッチメントであることを特徴とする、請求項１又は２に記載の顔面刺激具。
【請求項４】
前記押圧部は導電性を有する金属製であり、前記押圧部に微弱電流を供給する微弱電流発生装置を備えることを特徴とする、請求項１〜３のいずれか１項に記載の顔面刺激具。
【発明の詳細な説明】
【技術分野】
【０００１】
本発明は、顔面のうち痩顔等の効果を有する箇所を押圧して刺激する顔面刺激具に関する。
【背景技術】
【０００２】
顔面には、押圧して刺激することで、血行促進等の効果を得られる箇所がある。かかる箇所を正しく押圧することで種々の効果を得ることが期待される。
【０００３】
特に、耳下腺や咬筋を押圧することによって痩顔効果があることが知られており、かかる痩顔施術が好まれている。
【０００４】
痩顔施術は、技量を持つ専門家によることが多く、個人が自力で行うことはあまり行われていなかった。正しい箇所を適正な力量で押圧することは容易でなく、また、それを実行するための器具がなかったためである。
【０００５】
この点、特許文献１には、痩顔のため、顔面の所定の位置に継続的に刺激を与えるフェイスクリップが開示されている。
【０００６】
しかし、特許文献１に開示されたフェイスクリップには、固定された押接体に刺激手段を設けているため、押圧と弛緩を繰り返す施術を行うことができないという問題があった。また、押接体の形状が、必ずしも痩顔に適したものではない。コルギにおいては、拇指の付け根にある拇指球と呼ばれる部位を顔に当てて施術する。拇指球は５０ｍｍ程度の長さで中央がやや（両端に対して５ｍｍ程度）膨らんでいる。かかる形状の押接体は開示されていない。
【先行技術文献】
【特許文献】
【０００７】
【特許文献１】特開２０００−０７０３２８号公報
【発明の概要】
【発明が解決しようとする課題】
【０００８】
本発明は、顔面のうちの正しい箇所を適正な力量で押圧する顔面刺激具を提供することを課題とする。
【課題を解決するための手段】
【０００９】
本発明の顔面刺激具は、
接合部と、
前記接合部の両端から延伸された２の延伸部と、
前記２の延伸部の各々に設けられた２の押圧部とを備え、
前記２の延伸部は互いに略平行な円筒形状のものであり、
前記押圧部は、前記延伸部の軸方向に５０ｍｍ以上の長さを有し、前記延伸部の円筒形状に対して膨らんだ突起を構成し、
前記突起は、前記延伸部の半径に対して最大で１０ｍｍ以下の膨らみであり、前記押圧部の前記延伸部の軸方向の一端から他端に向けて前記膨らみが増大して最大となりその後減少するものであることを特徴とする。
【００１０】
押圧部が拇指球に類似した形状となる。延伸部の接合部とは反対の端を持ち、押圧部を施術対象部位に適切な力量で押し当てることができる。また、押圧と弛緩を繰り返すことも、押圧したまま押圧部を移動させる（さする施術のように移動させる）こともできる。
【００１１】
本発明の顔面刺激具は、
前記押圧部は前記延伸部の軸を中心に回転可能であることを特徴とする。
【００１２】
押圧部を移動させる場合、押圧部と皮膚とがこすれずに、快適に使用することができる。
【００１３】
本発明の顔面刺激具は、
前記押圧部が前記延伸部に着脱可能なアタッチメントであることを特徴とする。
【００１４】
押圧部の硬度やサイズは、使用者個人の嗜好が関係する。押圧部をアタッチメントとして交換可能にすることが好ましい。
【００１５】
本発明の顔面刺激具は、
前記押圧部は導電性を有する金属製であり、前記押圧部に微弱電流を供給する微弱電流発生装置を備えることを特徴とする。
【００１６】
押圧効果に加えて、微弱電流によるマッサージ効果を得る。
【発明の効果】
【００１７】
本発明によれば、顔面のうちの正しい箇所を適正な力量で押圧する顔面刺激具を提供することができる。
【図面の簡単な説明】
【００１８】
【図１】図１は、顔面刺激具の構成を示す図である。（実施例１）
【図２】図２は、顔面刺激具の使用方法を示す図である。（実施例１）
【図３】図３は、顔面刺激具の構成を示す図である。（実施例２）
【図４】図４は、顔面刺激具の構成を示す図である。（実施例３）
【発明を実施するための形態】
【実施例１】
【００１９】
図１は、顔面刺激具の構成を示す図である。（Ａ）に顔面刺激具の形状を示す。顔面刺
激具１は、半円形状の接合部２の両端に延伸部３ａ及び３ｂを備えている。延伸部３ａ及
び３ｂには、押圧部４ａ及び４ｂが設けられている。
【００２０】
押圧部４ａ及び４ｂは、内部に円筒状の空洞を有し、その空洞が延伸部３ａ及び３ｂに
挿入されている。凹凸等の移動防止機構（非図示）により、延伸部３ａ及び３ｂの軸方向
への移動をしないように支えられている。また、延伸部３ａ及び３ｂの円周に沿って回転
する。
【００２１】
接合部２は弾性変形し、延伸部３ａ及び３ｂの接合部２とは反対側の端部を図において
矢印で示すように移動させて、押圧部４ａと４ｂとの距離を調整して顔面を押圧すること
ができる。
【００２２】
なお、接合部２は、半円形状でなくともよい。また必ずしも弾性変形しなくてもよい。
延伸部３ａ及び３ｂの接合部２とは反対の端部を持って２つの延伸部（及びそこに設けら
れた２つの押圧部）の間隔を調整することができればよく、接合部２は各種の形状及び構
造が考えられる。
【００２３】
図２は、顔面刺激具の使用方法を示す図である。後頭部（又は首の後部）に接合部２の
中心を当接させると、延伸部３が耳下腺５ａ及び／又は咬筋５ｂの周辺に位置し、押圧部
４が耳下腺５ａ及び／又は咬筋５ｂを押圧できる。
【００２４】
この状態で延伸部３の接合部２とは他の端を持ち、押圧部４ａと４ｂとの間隔を狭めて
（延伸部３を図の黒矢印方向に移動させて）、耳下腺５ａ又は咬筋５ｂを押圧することが
できる。押圧と弛緩を繰り返してマッサージ効果を得ることができる。
【００２５】
また、延伸部３を皮膚に沿って移動させて（延伸部３を図の白矢印方向に移動させて）
、耳下腺５ａ又は咬筋５ｂをさすることでマッサージ効果を得ることもできる。この際、
押圧部４と皮膚とがこすれずに、快適に使用することができる。
【００２６】
（Ｂ）に押圧部４の詳細を示す。押圧部４は、延伸部３に付されている。延伸部３の軸
方向の長さＬは５０ｍｍ以上であり、拇指球（又は拇指球と拇指の全体）に合わせて５０
ｍｍ〜１５０ｍｍであることが好ましい。
【００２７】
また、押圧部４は、延伸部３に対して膨らんだ突起状である。拇指球に合わせるため、
延伸部３の半径に対する押圧部の突起径Ｒは、５ｍｍ〜１０ｍｍであることが好ましい。
また、複雑な形状でなく、延伸部の軸方向に向けて前記膨らみが増大して最大突起径Ｒと
なりその後減少するものであることが好ましい。
【実施例２】
【００２８】
実施例１において、押圧部４は、延伸部３に固定されていたが、延伸部３に着脱可能な
アタッチメントであってもよい。本実施例は、アタッチメントとしての押圧部４について
説明するものである。他については実施例１と同様であり、詳細な説明を省略する。
【００２９】
図３は、顔面刺激具の構成を示す図である。延伸部３及び押圧部４を示すものである。
（Ａ）に示すように、押圧部４は、第１押圧部材４１及び第２押圧部材４２によって構成
されている。（Ｂ）に示すように、第１押圧部材４１と第２押圧部材４２とは着脱可能で
ある。第１押圧部材４１と第２押圧部材４２とを分離することで、押圧部４が延伸部３か
ら取り外される。第１押圧部材４１と第２押圧部材４２とを係合させたときは、押圧部４
が延伸部３に取り付けられ、顔面刺激具１を実施例１と同様に使用することができる。押
圧部４は、延伸部３に着脱可能な（例えば硬質ゴム製の）アタッチメントである。
【００３０】
押圧部４を延伸部３に装着する位置を調整して、使用者の個人差に対応することができ
る。また、押圧部４のサイズ（図１（Ｂ）におけるＬ及びＲ）及び硬度にも個人の嗜好が
あり、様々な嗜好に対応する複数の押圧部４をアタッチメントとして装備することができ
る。
【００３１】
なお、アタッチメントとなる押圧部の構造は、本実施例のものに限定されない。延伸部
３の軸に沿って挿入・抜取・固定を可能にする等、各種の構造が可能である。
【実施例３】
【００３２】
押圧部４に微弱電流を供給することで、マッサージ効果を高めることができる。本実施
例は、微弱電流の供給について説明するものである。他については実施例１及び２と同様
であり、詳細な説明を省略する。
【００３３】
図４は、顔面刺激具の構成を示す図である。延伸部３及び押圧部４を示すものである。
延伸部３に、微弱電流発生装置６が設けられ、微弱電流が押圧部４に供給される。押圧部
４は導電性を有する金属製であり、微弱電流を皮膚に伝達する。電源として、光電池６１
が設けられている。
【００３４】
なお、微弱電流発生装置６及び光電池６１は、延伸部３でなく接合部２に設けてもよい
。この場合、１つの微弱電流発生装置から２つの押圧部４ａ及び４ｂに微弱電流を供給す
る。
【産業上の利用可能性】
【００３５】
顔面のうちの正しい箇所を適正な力量で押圧する顔面刺激具であり、多くの個人による
利用が考えられる。
【符号の説明】
【００３６】
１    顔面刺激具
２    接合部
３    延伸部
４    押圧部
５    押圧対象（耳下腺５ａ、咬筋５ｂ）
６    微弱電流発生装置
【図１】
2015213740.tif 000003
【図３】
2015213740.tif 000004
【図４】
2015213740.tif 000005
【図２】
2015213740.tif 000006